(57)【要約】【課題】視認性を向上させながら、指標部配置の自由度を向上させることが可能な指針式計器を提供する。【解決手段】第１の指標部５１を有する第１の表示板５と、開口部６３と第２の指標部６１とを有し、所定の空間部Ｓを隔てて第１の表示板５の前方側に積層される第２の表示板６と、第１の表示板５の背面及び空間部Ｓを通る第１の指針部７１と、第１の指標部５１を指示する第１の指示部７２と第２の指標部６１を指示する第２の指示部７３を有する指針７とを備え、第１の指示部７２は第１の指標部５１の所定値における一部を覆う。【選択図】  図１
2010236958.tif 000002
【特許請求の範囲】
【請求項１】
所定の計測対象に関して異なる単位の指標部を形成してなる表示板と、駆動装置に連結され前記表示板上を回転することにより前記指標部を指示する指針とを備えた指針式計器において、前記表示板が第１の単位として第１の指標部を有する第１の表示板と、前記第１の指標部を露出させる開口部とこの開口部の外周に配置された第２の単位としての第２の指標部とを有し、所定の空間部を隔てて前記第１の表示板の前方側に積層される第２の表示板とからなり、前記指針が前記第１の表示板の背面及び前記空間部を通る第１の指針部と、この第１の指針部から前記第１，第２の表示板の各前面に至り前記第１の指標部を指示する第１の指示部と前記第２の指標部を指示する第２の指示部を有し、前記第１の指示部は前記第１の指標部の所定値における一部を覆うことを特徴とする指針式計器。
【請求項２】
前記第１の表示板に形成した表示窓を通して視認される表示器を有し、前記第１の指針部が前記第１の表示板及び前記表示器の背面を通ることを特徴とする請求項１記載の指針式計器。
【請求項３】
前記第１の指示部と前記第２の指示部の双方が端部に向けて先細り形状に設定されることを特徴とする請求項１記載の指針式計器。
【請求項４】
前記第１の表示板と前記第２の表示板とが所定部材を通じて位置決め固定されることを特徴とする請求項１記載の指針式計器。
【発明の詳細な説明】
【技術分野】
【０００１】
本発明は、例えば自動車、自動二輪車、建設機械、小型船舶に搭載される指針式計器に関し、特に表示板に施した異なる単位の指標を一本の指針にて指示する指針式計器に関するものである。
【背景技術】
【０００２】
この種の指針式計器として例えば下記特許文献１に記載されているものが知られている。この指針式計器は、表示板と、駆動装置に連結され表示板上を回転する指針とを備え、表示板には車速をｋｍ／ｈとＭＰＨとからなる異なる単位で表す２種類の指標部が同心円状に配列され、これら２種類の指標部を一本の指針にて指示するものであるが、指針が２種類の指標部の共通の配列中心から各指標部の所定値に向けて放射状に延びるように配置されていることに加え、内側に配列される指標部（この場合、ｋｍ／ｈを示す目盛部と数字部）は外側に配列される指標部（この場合、ＭＰＨを示す目盛部と数字部）よりも小さく形成されるため、内側に配列される指標部が指針によって覆い隠されてしまい、読み取り性の点で改良の余地があった。
【０００３】
一方、例えば下記特許文献２に記載されているように、表示板に指針が旋回可能なスリットを設け、表示板の背面を通り前記スリットを通じて表示板の前方に露出する指針を使って計測値を示す指針式計器も知られており、前記スリットの内側に外側に配列された指標部とは異なる単位の指標部を配置すれば、指針が表示板の裏面を通ることにより、一本の指針で異なる種類の指標部を、一方の指標部の（所定値における）全てを覆い隠すことなく指示できるため、読み取り性を向上させることができる。
【先行技術文献】
【特許文献】
【０００４】
【特許文献１】特開２００８−２１６２４５号公報（図２）
【特許文献２】特開２００５−１８１３０１号公報（図５）
【発明の概要】
【発明が解決しようとする課題】
【０００５】
しかしながら、前記特許文献２記載の指針式計器は、表示板に対して利用者側に開口するスリットを形成する都合上、指標部を配置する範囲が限られてしまうという問題点を有している。特に指針が表示板の背面を通るタイプの指針式計器にあっては、指標部の内側に液晶パネル等の表示器を配置するケースが多く、このような事情から指標部の内側を表示素子の視認する窓部とする場合、窓部とスリットとの間隔が狭くなりやすく、指標部を配置するためのスペースが確保できなくなるおそれがある。
【０００６】
本発明は前述の課題に着目し、視認性を向上させながら、指標部配置の自由度を向上させることが可能な指針式計器を提供することを目的とするものである。
【課題を解決するための手段】
【０００７】
本発明は、前述した課題を解決するため、所定の計測対象に関して異なる単位の指標部を形成してなる表示板と、駆動装置に連結され前記表示板上を回転することにより前記指標部を指示する指針とを備えた指針式計器において、前記表示板が第１の単位として第１の指標部を有する第１の表示板と、前記第１の指標部を露出させる開口部とこの開口部の外周に配置された第２の単位としての第２の指標部とを有し、所定の空間部を隔てて前記第１の表示板の前方側に積層される第２の表示板とからなり、前記指針が前記第１の表示板の背面及び前記空間部を通る第１の指針部と、この第１の指針部から前記第１，第２の表示板の各前面に至り前記第１の指標部を指示する第１の指示部と前記第２の指標部を指示する第２の指示部を有し、前記第１の指示部は前記第１の指標部の所定値における一部を覆うことを特徴とする。
このように構成したことにより、従来例のごとく表示板に対して利用者側に開口するスリットを形成する必要がないため、指標部を配置するためのスペースを確保でき、指標部配置の自由度を向上させることができる。加えて指針の指示部が第１の指標部の一部を覆うように指示するため、第２の指標部よりも小さく形成される傾向のある第１の指標部の（所定値における）全てを覆い隠すことなく指示できるため、視認性を向上させることができる。
【０００８】
また本発明は、前記第１の表示板に形成した表示窓を通して視認される表示器を有し、前記第１の指針部が前記第１の表示板及び前記表示器の背面を通ることを特徴とする。
このように構成したことにより、第１の表示板が表示器を視認するための表示窓を有する場合でも指標部配置の自由度を向上させることができる。
【０００９】
また本発明は、前記第１の指示部と前記第２の指示部の双方が端部に向けて先細り形状に設定されることを特徴とする。
このように構成したことにより、指示部がそれぞれの指標部を指示していることを明確にすることができる。
【００１０】
また本発明は、前記第１の表示板と前記第２の表示板とが所定部材を通じて位置決め固定されることを特徴とする。
このように構成したことにより、第１，第２の指標部の位置ずれを防止することができる。
【発明の効果】
【００１１】
本発明によれば、視認性を確保しながら、指標部配置の自由度を向上させることが可能な指針式計器を提供することができる。
【図面の簡単な説明】
【００１２】
【図１】本発明の第１の実施形態による指針式計器の正面図。
【図２】図１のＡ−Ａ断面図。
【発明を実施するための形態】
【００１３】
以下、本発明の実施の形態について添付図面を用いて説明する。
【００１４】
図１及び図２において、本発明の第１の実施形態による指針式計器は、例えば自動車のダッシュボードに搭載されるコンビネーションメータに組み込まれるもので、回路基板１と、駆動装置２と、支持部材３と、表示器４と、第１の表示板５と、第２の表示板６と、指針７とを備えている。
【００１５】
回路基板１は、周知な硬質回路基板であり、駆動装置２の他、表示器４と第１，第２の表示板５，６と指針７を照明する図示しない発光ダイオード等の光源を搭載している。
【００１６】
駆動装置２は、例えばステッピングモータからなるもので、計測対象、この場合、車両の速度に応じて作動する指針軸を備えている。
【００１７】
支持部材３は、例えば透光性を有する合成樹脂からなるもので、表示器４と、第１，第２の表示板５，６とを背面側が支持すると共にこれらを背後から照明する導光体としての機能も備える。
【００１８】
また支持部材３には、第１，第２の表示板５，６のそれぞれを位置決めする凸部形状の複数の位置決め部３１を有する。
【００１９】
表示器４は、例えば液晶パネルからなるもので、走行距離や外気温、経路誘導情報等の様々な車両情報を表示する。この表示器４は中心が駆動装置２の指針軸と一致しており、利用者が正面から見たとき、もっとも中心に位置している。
【００２０】
第１の表示板５は、例えば透光性を有する合成樹脂基板にスクリーン印刷等の手法を通じて第１の指標部５１と、その背景となる背景部５２を形成してなる。
【００２１】
この第１の表示板５は、表示器４に対応する円形の表示窓５３を有しており、第１の指標部５１は、第１の単位として、車速をｋｍ／ｈで示す目盛部５１１と文字（数字）部５１２とでなり、表示窓５３の周囲の周囲に沿って目盛部５１１が内側、文字部５２２が外側となるように形成されている。なおこの第１の表示板５には、位置決め部３１に対応する孔部や切り欠き部が複数形成されている。
【００２２】
第２の表示板６は、例えば透光性を有する合成樹脂基板にスクリーン印刷等の手法を通じて第２の指標部６１と、その背景となる背景部６２を形成してなるもので、第１の表示板５とは分割形成されている。
【００２３】
この第２の表示板６は、表示器４及び第１の表示板５に対応し表示器４及び第１の指標部５１を露出する円形の開口部６３を有しており、第２の指標部６１は、第２の単位として、車速をｍｐｈ（マイル）で示す目盛部６１１と文字（数字）部６１２とでなり、開口部６３の周囲（外周）に沿って目盛部６１１が外側、文字部６１２が外側となるように形成されている。
【００２４】
また第２の表示板６は、その内周部が利用者の視線方向に対して第１の表示板５の外周部に重なるように第１の表示板５の前方側に空間部Ｓを隔てて積層されている。
【００２５】
空間部Ｓは、利用者の視線方向とは交差する方向であって、駆動装置２の指針軸から延長する指針７の仮想回転軸（第１，第２の指標部５１，６１の配列中心）側に開口している。
【００２６】
このように形成された第１，第２の表示板５，６は、第１，第２の指標部５１，６１の配列中心が互いに一致するように支持部材３に位置決め固定されている。
【００２７】
指針７は、例えば透光性を有する合成樹脂からなり、駆動装置２の指針軸に連結されて第１，第２の表示板５，６上を回転することにより第１，第２の指標部５１、６１を指示する構成である。
【００２８】
この指針７は、駆動装置２の指針軸に連結されると共に表示器４及び第１の表示板５の背面を駆動装置２から遠ざかる方向に延びる第１の部分と、この第１の部分から９０度折れ曲がって前方に延びる第２の部分と、この第２の部分から空間部Ｓを前記仮想回転軸（第１の指標部５１）側に延びる第３の部分とでなる第１の指針部７１と、この第１の指針部７１から開口部６３を経て第１の表示板５の前面に至り第１の指標部を指示する第１の指示部７２と、この第１の指示部７２から連続して外側に延び第２の表示板６の前面に至って第２の指標部６１を指示する第２の指示部７３とを有している。
【００２９】
この場合、第１，第２の指示部７２，７３は、端部（先端）に向けて先細り形状となっている他、第１の指標部７２は、第１の指標部５１の文字部５１２を覆い、目盛部５１１を覆わないか、目盛部５１１を覆ったとしても一部のみ覆い、（所定値における）全部を覆わないようになっている。
【００３０】
以上のように本実施形態では、車速（所定の計測対象）に関して単位の異なる第１，第２の指標部５１，６１を形成してなる表示板５，６と、駆動装置２に連結され表示板５，６上を回転することにより指標部５１，６１を指示する指針７とを備えた指針式計器において、表示板５，６が第１の単位として第１の指標部５１を有する第１の表示板５と、第１の指標部５１を露出させる開口部６３とこの開口部６３の外周に配置された第２の単位としての第２の指標部６１とを有し、所定の空間部Ｓを隔てて第１の表示板５の前方側に積層される第２の表示板６とに分割形成され、指針７が第１の表示板５の背面及び空間部Ｓを通る第１の指針部７１と、この第１の指針部７１から第１，第２の表示板５，６の各前面に至り第１の指標部５１を指示する第１の指示部７２と第２の指標部６１を指示する第２の指示部７３を有し、第１の指示部７２は第１の指標部５１の所定値における一部を覆うことにより、従来例のごとく表示板に対して利用者側に開口するスリットを形成する必要がないため、指標部を配置するためのスペースを確保でき、指標部配置の自由度を向上させることができ、加えて指針７の指示部７２，７３が第１の指標部５１の一部を覆うように指示するため、第２の指標部６１よりも小さく形成される傾向のある第１の指標部５１の（所定値における）全てを覆い隠すことなく指示できるため、視認性を向上させることができる。
【００３１】
また本実施形態では、第１の表示板５に形成した表示窓５３を通して視認される表示器４を有し、第１の指針部７１が第１の表示板５及び表示器４の背面を通ることにより、第１の表示板５が表示器４を視認するための表示窓５３を有する場合でも指標部配置の自由度を向上させることができる。
【００３２】
また本実施形態では、第１の指示部７２と第２の指示部７３の双方が端部に向けて先細り形状に設定されることにより、指示部７２，７３がそれぞれの指標部５１，６１を指示していることを明確にすることができる。
【００３３】
また本実施形態では、第１の表示板５と第２の表示板６とが支持部材（所定部材）３を通じて位置決め固定されることにより、第１，第２の指標部５１，６１の位置ずれを防止することができる。
【００３４】
なお本実施形態では、第１の指標部５１の単位としてｋｍ／ｈ、第２の指標部６１の単位としてｍｐｈを適用したが、例えば本発明を水温計に用いる場合は単位として°Ｃ、°Ｆ、燃料計に用いる場合はリットル、ガロン、燃費計に用いる場合はｋｍ／ｌ、ｌ／１００ｋｍ等、任意の単位を用いることができる。
【００３５】
また本実施形態では、第１，第２の表示板５，６を分離して設けたが、プレス成形や圧空成形等の手段を通じて一体部品で形成してもよい。
【符号の説明】
【００３６】
１  回路基板
２  駆動装置
３  支持部材
４  表示器
５  第１の表示板
６  第２の表示板
７  指針
３１  位置決め部
５１  第１の指標部
５２  背景部
５３  表示窓
５１１  目盛部
５１２  文字（数字）部
６１  第２の指標部
６２  背景部
６１１  目盛部
６１２  文字（数字）部
７１  第１の指針部
７２  第１の指示部
７３  第２の指示部
【図１】
2010236958.tif 000003
【図２】
2010236958.tif 000004